(57)【要約】【課題】  共用廊下の歩行性、施工時の利便性並びに経済性を向上しつつ、配管・配線に関してスケルトン・インフィルに基づく集合住宅を具現化すること。【解決手段】  集合住宅において、各住戸の配管・配線と共用廊下の配管・配線とを接続するにあたり、各住戸を二重床として各住戸の配管・配線の配設スペースを形成し、各住戸の配管・配線を大梁の上を通して共用廊下を貫通させ、共用廊下の下の配管・配線と接続する。【選択図】  図２
2006097342.tif 000002
【特許請求の範囲】
【請求項１】
集合住宅の共用廊下に、各階住戸に共通の配管・配線を配設し、当該各階住戸に共通の配管・配線から各住戸に個別の配管・配線を分配する、集合住宅の建物構造において、
各住戸の床構造として少なくとも前記共用廊下に面する領域において形成され、第１床スラブと床材とからなる二重床と、
前記第１床スラブを支持する大梁と、
前記大梁に接続され、前記共用廊下を構成する第２床スラブと、を備え、
前記共通の配管・配線が前記第２床スラブ下に配設され、
前記個別の配管・配線が前記二重床内から前記大梁上及び前記第２床スラブを通過して前記共通の配管・配線に接続されるように、前記個別の配管・配線が通過する通過部を前記第２床スラブに設けたことを特徴とする集合住宅の建物構造。
【請求項２】
前記大梁上に、各住戸のメータボックスの収納スペースを設けたことを特徴とする請求項１に記載の集合住宅の建物構造。
【請求項３】
前記通過部が、前記第２床スラブの一部を切り欠いて形成され、前記共通の配管・配線のための点検口として兼用される切り欠き部であり、
更に、当該切り欠き部を覆う開閉可能な蓋部材を前記第２床スラブに設けたことを特徴とする請求項１又は２に記載の集合住宅の建物構造。
【請求項４】
前記共用廊下が開放共用廊下であり、
前記第２床スラブは、
前記大梁を支持する柱に支持された片持ち梁に支持され、かつ、開放端側の第１の領域と、各住戸側の第２の領域と、を有し、
前記第２床スラブが、前記片持ち梁と前記第１の領域とで前記柱に支持され、前記第２の領域を前記通過部が形成可能な構造としたことを特徴とする請求項１乃至３のいずれかに記載の集合住宅の建物構造。
【請求項５】
前記集合住宅がセンターコア形式の建築物であり、
前記第２床スラブはコア側の構造体に支持されることを特徴とする請求項１乃至３のいずれかに記載の集合住宅の建物構造。
【発明の詳細な説明】
【技術分野】
【０００１】
本発明は集合住宅の建物構造に関し、特に、集合住宅における配管・配線技術に関するものである。
【背景技術】
【０００２】
集合住宅の配管・配線技術として、例えば、各住戸内の横引き配管を各住戸内や各住戸に面する玄関周り等の共用部分に共用の竪配管を設け、ここに直接接続するものが提案されている。しかし、この方式では各住戸の専有空間が狭くなったり、又は、上階住戸内の排水音等が下階住戸内において聞こえるといった問題がある。
【０００３】
この方式の問題を解決するものとして、例えば、特許文献１には、各住戸の配管を住戸の壁及び共用廊下の床スラブを貫通させ、当該床スラブ下にある共用の横配管に接続し、更にこの横配管を階段室にある堅配管に接続する共同住宅の設備配管構造が開示されている。そして、特許文献１にはこの設備配管構造を採用することで、階段の工業化率を向上させ、室内に配管スペースを多くとらず、上階の給排水の影響を受けないという効果をもたらすことが記載されている。
【０００４】
しかし、特許文献１に記載のものは、いわゆるスケルトン・インフィルの考え方に基づいておらず、新築時やリニューアル時のいずれにおいても台所やトイレ等、水回りの位置に制約があり、一旦設置場所を決定すればその後の水回りの位置は事実上変更はできない。
【０００５】
スケルトン・インフィルとは、建物をスケルトン（構造体）とインフィル（内装・設備）とに別々に分けて設計する設計思想である。このことから、スケルトン・インフィルに基づく住宅は、レイアウトフリー、長寿命等に特長を有するとされている。スケルトン・インフィルに基づく集合住宅では、構造体そのものは変えずに、内装や設備は古くなったら交換したり、大幅な間取りの変更を容易に行うことができる。例えば、２住戸の戸境壁を取り払い、１住戸とするようなことも可能となる。スケルトン・インフィルに基づく集合住宅の構造体は、ラーメン構造と呼ばれる柱、大梁で構成され、住戸部分の壁は基本的には全て非耐力壁となる。
【０００６】
一方、このようなスケルトン・インフィルに基づく集合住宅に採用可能な配管・配線技術として特許文献２に記載のものが提案されている。特許文献２には共用廊下及び各住戸の床を二重床とし、二重床内の空間を配管・配線の配設空間とするものが開示されている。共用廊下の床スラブには配管・配線用の共同溝が形成され、ここに各階住戸に共通の配管・配線が配設される。そして、各住戸の二重床内の空間を通して各住戸用の配管・配線と共同溝内の各階共用の横配管・配線とが接続される。そして、特許文献２にはこの構造を採用することで新築時には各住戸毎に任意の場所で配管・配線でき、躯体工事完了後まで住戸の間取りの決定を延ばすことができるとされている。なお、特許文献２には明示されていないが、共用廊下と住戸の境の壁を非耐力壁としておくことで配管・配線場所の位置の変更を容易に行うことができる。つまり、その壁の下端部の任意の位置に配管・配線用の穴を開けることができ、大幅な間取り変更を伴うリニューアルも比較的容易である。
【０００７】
【特許文献１】特開平６−１２８９８９号公報
【特許文献２】特開平１１−３２４０３９号公報
【発明の開示】
【発明が解決しようとする課題】
【０００８】
しかし、特許文献２の構造では、共用廊下の床スラブに共同溝を設け、この共同溝の上面全体を薄板で覆うことにより共用廊下を二重床とするものである。共用廊下全体が二重床となるため、一重床に比べてコストアップは否めない。また、歩行者は薄板上を歩行することになるため、歩行音が発生する場合があると共に、たわみが生じ易いので床スラブ上を歩行する場合よりも歩行感が劣るため、使用時の歩行性が必ずしもよくない。更に、建物の施工時においては共用廊下の工事が終わらないと共用廊下を資材の搬入通路として使用することが困難である。仮に、共用廊下の床スラブ上を歩行するとなると住戸の床スラブとの間に大きな段差があるので共用廊下と住戸との間の移動が不便である。また、共用廊下を二重床とすると雨水が共同溝内に溜まるおそれがあるため、現実的には共用廊下に雨が吹き込まないセンターコアタイプの集合住宅にしか適用できず、開放廊下には適用が難しい。
【０００９】
本発明は、上記のような問題を踏まえてなされたものであり、その目的は、共用廊下の歩行性、施工時の利便性並びに経済性を向上しつつ、配管・配線に関してスケルトン・インフィルに基づく集合住宅を具現化することにある。
【課題を解決するための手段】
【００１０】
本発明のよれば、集合住宅の共用廊下に、各階住戸に共通の配管・配線を配設し、当該各階住戸に共通の配管・配線から各住戸に個別の配管・配線を分配する、集合住宅の建物構造において、各住戸の床構造として少なくとも前記共用廊下に面する領域において形成され、第１床スラブと床材とからなる二重床と、前記第１床スラブを支持する大梁と、前記大梁に接続され、前記共用廊下を構成する第２床スラブと、を備え、前記共通の配管・配線が前記第２床スラブ下に配設され、前記個別の配管・配線が前記二重床内から前記大梁上及び前記第２床スラブを通過して前記共通の配管・配線に接続されるように、前記個別の配管・配線が通過する通過部を前記第２床スラブに設けたことを特徴とする集合住宅の建物構造が提供される。
【００１１】
この建物構造では各住戸の床構造として少なくとも共用廊下に面する領域を二重床とすることで各住戸内の配管・配線を任意の位置に配設できる。また、共用廊下の床スラブ下に各階住戸に共通の配管・配線を配設し、大梁上を通して各住戸に個別の配管・配線と接続するので、共用廊下を一重床とすることができる。従って、共用廊下の歩行性、施工時の利便性並びに経済性を向上しつつ、配管・配線に関してスケルトン・インフィルに基づく集合住宅を具現化することができる。
【００１２】
本発明においては、前記大梁上に、各住戸のメータボックスの収納スペースを設けることもできる。大梁上にメータボックスの収納スペースを設けることで、各住戸の専有面積をより広くとることができ、また、大梁に沿った任意の位置にメータボックスが収納できる。
【００１３】
また、本発明においては、前記通過部が、前記第２床スラブの一部を切り欠いて形成され、前記共通の配管・配線のための点検口として兼用される切り欠き部であり、更に、当該切り欠き部を覆う開閉可能な蓋部材を前記第２床スラブに設けることもできる。この構成によれば、配管・配線を点検するための構造を簡易に構成できる。
【００１４】
また、本発明においては、前記共用廊下が開放共用廊下であり、前記第２床スラブは、前記大梁を支持する柱に支持された片持ち梁に支持され、かつ、開放端側の第１の領域と、各住戸側の第２の領域と、を有し、前記第２床スラブが、前記片持ち梁と前記第１の領域とで前記柱に支持され、前記第２の領域を前記通過部が形成可能な構造とすることもできる。この構成によれば、前記通過部を前記第２の領域の任意の位置に形成でき、新設時だけでなく、竣工後のリニューアル時でも必要に応じて前記通過部の配設位置を設定できる。
【００１５】
また、本発明においては、前記集合住宅がセンターコア形式の建築物であり、前記第２床スラブはコア側の構造体に支持されてもよい。本発明はセンターコア形式の建築物にも適用できる。
【発明の効果】
【００１６】
本発明によれば、共用廊下の歩行性、施工時の利便性並びに経済性を向上しつつ、配管・配線に関してスケルトン・インフィルに基づく集合住宅を具現化することができる。
【発明を実施するための最良の形態】
【００１７】
図１は本発明の一実施形態に係る建物構造を採用した多層階の集合住宅のある階のレイアウト図である。この集合住宅はスケルトン・インフィルに基づく集合住宅を想定したもので、図１において破線Ｌ１は各住戸の区画の例を示している。各住戸を区画する壁として非耐力壁を採用することで各住戸の区画は任意に変更することができる。図１の集合住宅はそのセンタ部分が吹抜となっており、この吹抜の周囲を取り囲むように共用廊下１が設けられて開放廊下を形成している。そして、共用廊下１の周囲には各住戸が設けられている。
【００１８】
吹抜の各隅部には各階の共有堅配管又は共有配線の少なくともいずれか配設される堅配管・配線部５が設けられている。本実施形態は共用廊下１に、各階住戸に共通の配管・配線を配設し、当該各階住戸に共通の配管・配線から各住戸に個別の配管・配線を分配する構造を採用したものであり、各階を縦断する堅配管・配線部５内の堅配管・配線には共用廊下１下に配設される各階住戸に共通の配管・配線（横配管・横配線）が接続される。
【００１９】
次に、図２を参照して本発明の一実施形態に係る建物構造の要部について説明する。図２は図１の線ＸＸに沿う概略断面図であり、特に、配管・配線構造を示す図である。同図は共有廊下１近傍の構成についておよそ２階分の構造を示している。本実施形態では、まず、各住戸の床構造として少なくとも共用廊下１に面する領域において二重床構造２が採用されている。この二重床構造２は、床スラブ２１と床スラブ２１の上方に配設された板状の床材２２とから構成されている。
【００２０】
この二重床構造２の内部空間は各住戸に個別の配管２３、配線２４の配設空間を構成する。床スラブ２１と床材２２との間隔、つまり、二重床構造２の内部空間の高さは配管２３によって決定される。単に配管２３を水平に配するだけであれば必要な高さは１５０ｍｍ程度である。配管２３の勾配により自然排水を行う場合、二重床構造２の内部空間の高さは高いほど好ましいが、コストアップの要因となる。従って、住戸内のあらゆる場所（台所、浴室を共用廊下１から最も遠くに設置する場合等）から自然排水させるためには、共用廊下１の横配管から最短距離で接続した場合（横配管と配管２３とを直交させる場合）であっても、二重床構造２の内部空間の高さを３００ｍｍ以下にすることが望ましい。
【００２１】
なお、各住戸の床構造としては全域に渡って二重床構造とすることもできる。そうすることで任意の位置に配管２３及び配線２４を配設することができ、スケルトン・インフィルに基づく集合住宅により即したものとなる。しかし、各住戸において配管２３、配線２４が実際上ほとんど配設されることがない領域も存在するので、共用廊下１に面する必要な領域において二重床構造２を採用すればよいことになる。
【００２２】
次に、床スラブ２１は大梁３により支持されている。大梁３上には各住戸のメータボックス３１の収納スペース３２が設けられている。収納スペース３２は大梁３に沿って設けられ、共用廊下１と各住戸とを区画する非耐力壁３３、３４と、上下階の大梁３と、その階の左右の柱とにより形成されている。メータボックス３１には各住戸の配線２４が接続されている。本実施形態ではメータボックス３１を大梁３上に収納することにより、メータボックス３１が共用廊下１に突出しなくなるので、各住戸の専有面積をより広くとることができる。また、大梁３に沿った任意の位置にメータボックス３１が収納できるのでスケルトン・インフィルに基づく集合住宅により即したものとなる。なお、収納スペース３２内にメータボックス３１を設置する位置が決まれば、収納スペース３２内の残りのスペースは例えば物入れ等に使用できる。
【００２３】
次に、共用廊下１の構造について説明する。共用廊下１は大梁３に接続された床スラブ１１を備える。但し、後述するように床スラブ１１は大梁３には接続されているが、構造的には大梁３に支持されていない。床スラブ１１はその住戸側の端部が大梁３上に重ねられるようにして大梁３に接続されている。床スラブ１１の住戸側の端部上には非耐力壁３３を立設するための支持部材３３ａが一体に設けられている。この支持部材３３ａも非耐力部材である。非耐力壁３４は大梁３上に立設されているが、その下端の一部に切り欠き部３４ａが設けられており、この切り欠き部３４ａを配管２３及び配線２４が通過する。なお、図示していないが、非耐力壁３４は防火区画として成り立つ必要があるので、切り欠き部３４ａは穴開きのブロック等を積んで形成し、この穴の中を配管・配線を通した後、隙間をモルタル等で充填することになる。
【００２４】
床スラブ１１の下には、その階の各住戸に共通となる横配管１２、横配線１３が配設されており、共用廊下１の長手方向に渡って延在している。符号１４は他の横配管又は横配線群を示している。これらの横配管、横配線の下側には床スラブ１にとりつけられ、これらの横配管、横配線を覆うカバー部材１５が設けられている。カバー部材１５は外部から横配管、横配線が見えないようにするための部材であり、共用廊下１の下の天井部を構成することになる。
【００２５】
床スラブ１１には、各住戸に個別の配管２３、配線２４が二重床構造２内から大梁３上及び床スラブ１１を通過して、横配管１２、横配線１３に接続されるように、配管２３、配線２４が通過する通過部１１ａが設けられている。本実施形態の場合、通過部１１ａは床スラブ１１の一部（住戸側の端面の一部）を切り欠いて形成されており、横配管１２、横配線１３並びにこれらと配管２３、配線２４との接続部分を点検するための点検口として兼用されている。兼用することで配管・配線を点検するための構造を簡易に構成できる。
【００２６】
通過部１１ａ上にはこれを覆う開閉可能な板状の蓋部材１６が設けられている。蓋部材１６はその閉鎖時において雨水等が床スラブ１１上から通過部１１ａを通って下方へ流れ落ちないように通過部１１ａとの間でシール材等によりシールされることが望ましい。なお、共用廊下１の下の天井部を構成するカバー部材１５にも必要に応じて点検口及びこれを塞ぐ開閉可能な蓋部材を設けることにより、日常的な点検はカバー部材１５側から行うようにすることが望ましい。
【００２７】
本実施形態では大梁３上を配管・配線が通るため、本来であれば床スラブ１１とこれらが干渉することになるが通過部１１ａを設けてここを通すことにより解決している。リニューアル時の移設を考慮しなければ、配管・配線類を床スラブ１１内に交換可能に埋設してしまうのが最も簡単で低コストとなるが、スケルトン＆インフィルの考え方から、点検口を兼ねた通過部１１ａを設けることにより、床スラブ１１と配管類の取合いに必要な空間を確保することができる。
【００２８】
次に床スラブ１１の支持構造について説明する。図３は図２の線ＹＹに沿う概略断面図であり、共用廊下１の床スラブ１１の支持構造を示す図である。従来の構造では、共用廊下１の床スラブ１１は大梁３からの片持スラブとして配筋するのが最も効率がよくので、このような方法で実施される。しかしながら、この方法では、床スラブ１１の住戸側の任意の位置に通過部１１ａを設けることはできない。本実施形態では、床スラブ１１は開放端側の第１領域１１ｂと破線Ｌ２で示す各住戸側の第２領域１１ｃとを有し、それぞれ異なる構造を有する。床スラブ１１は大梁３を支持する柱４に支持された片持ち梁１７（破線Ｌ３で示す）に支持されるが、片持ち梁１７による支持は第１領域１１ｂのみとし、第１領域１１ｂを、片持ち梁１７間で支持される、一方向に荷重を負担できる鼻先小梁の形式のスラブとして形成している。
【００２９】
一方、第２領域１１ｃは片持ち梁１７と大梁３とに接続されてはいるものの、通過部１１ａを形成可能な構造としている。端的に言えば、第２領域１１ｃは床スラブ１１上を歩行可能な強度は有するが第１領域１１ｂよりも配筋量を少なくして穴や切り欠きが任意に設けられるような構造体とする。つまり、事後的にも第２領域１１ｃの任意の位置で開口や切り欠きを設けられるような構造とする。そして、通過部１１ａとして必要な部分だけ切り欠き等を設けておき、残りの部分はコンクリートスラブで塞ぐことになる。各住戸の間取り計画段階でも、また、リニューアル時においても任意の位置に通過部１１ａを形成できる。こうすることで、スケルトン・インフィルに基づく集合住宅により即したものとなり、特に、リニューアル時の各住戸の間取りに従って通過部１１ａの位置を柔軟に変更できる。
【００３０】
なお、本実施形態の建物構造をセンターコアタイプの建築物に適用する場合は、床スラブ１１をコア側の構造体に支持する構成を採用すればよい。この場合も第２領域１１ｃは任意の位置で開口や切り欠きを設けられるような構造とし、第１領域１１ｂ側をコア側の構造体で支持することになる。例えば、第１領域１１ｂにおいて、コア側の大梁からの片持ちスラブとし構成できる。
【００３１】
以上の構成によれば以下の利点がある。まず、共用廊下１が一重床となるので、雨の吹き込みが問題とならず、センターコアタイプの非開放共用廊下の場合だけでなく、開放共用廊下の場合にも適用できる。また、床スラブ１１は住戸側の第２領域１１ｃにおいて任意の位置に通過部１１ａを形成できるので、新設時だけでなく、竣工後のリニューアル時でも必要に応じて通過部１１ａの配設位置を設定できる。共用廊下１は一重床であり、廊下経由の資材搬入が容易であり、歩行音や歩行感は通常である。特に、共用廊下１の床スラブ１１と住戸側の床スラブ２１との間に大きな段差がないので、周辺躯体を施工しやすだけでなく、床スラブ１１を資材搬入通路として使用できる。配管工事でも下階側の半分に足場を組むようにすれば、残りの部分を通路として確保できる。更に、スケルトン・インフィルの考え方を具現化していながら、施工しやすく、共用廊下１全体を二重床とする必要がないので、コストアップが最小限にとどめられる。
【図面の簡単な説明】
【００３２】
【図１】本発明の一実施形態に係る建物構造を採用した多層階の集合住宅のある階のレイアウト図である。
【図２】図１の線ＸＸに沿う概略断面図であり、特に、配管・配線構造を示す図である。
【図３】図２の線ＹＹに沿う概略断面図であり、共用廊下１の床スラブ１１の支持構造を示す図である。
【符号の説明】
【００３３】
１  共用廊下
２  二重床構造
３  大梁
４  柱
１１  床スラブ（第２床スラブ）
１１ａ  通過部
１２  横配管（各階住戸に共通の配管）
１３  横配線（各階住戸に共通の配線）
２１  床スラブ（第１床スラブ）
２２  床材
２３  配管（各住戸に個別の配管）
２４  配線（各住戸に個別の配線）
３１  メータボックス
【図１】
2006097342.tif 000003
【図２】
2006097342.tif 000004
【図３】
2006097342.tif 000005